(57)【特許請求の範囲】
【請求項１】
文字情報を受信する文字多重放送受信機において、
文字多重放送受信モードを選択する選択手段と、
文字多重放送に含まれる文字情報データを蓄積する蓄積手段と、
前記文字情報データを表示する表示手段と、
前記選択手段が文字多重放送受信モードを選択していないときに、前記表示手段による前記文字情報データの表示が停止されかつ前記蓄積手段で前記文字情報が蓄積されるように制御する制御手段とを備え、
前記文字多重放送受信モードが選択されると、予め蓄積した文字情報データを、文字多重放送受信開始と同時に表示することを特徴とする文字多重放送受信機。
【請求項２】
前記蓄積手段による前記文字情報データの蓄積動作を停止させる停止手段を備えることを特徴とする請求項１記載の文字多重放送受信機。
【請求項３】
自動昇降式アンテナと、
前記停止手段による前記蓄積手段の前記文字情報データの蓄積動作の停止時に、前記自動昇降式アンテナを降下させるように制御する第二の制御手段とを備えることを特徴とする請求項２記載の文字多重放送受信機。
【請求項４】
請求項２または３記載の文字多重放送受信機において、
停止手段と選択手段の指示を同一の操作キーにより行なうように構成した文字多重放送受信機。
【発明の詳細な説明】
【０００１】
【発明の属する技術分野】
本発明は文字多重放送受信機、特にＦＭ文字多重放送受信機に関する。
【０００２】
【従来の技術】
従来の文字多重放送受信機、特にＤＡＲＣ（ＤＡｔａ  Ｒａｄｉｏ  Ｃｈａｎｎｅｌ）を受信可能なＦＭ文字多重放送受信機では、通常のＦＭ放送受信モードとＦＭ文字多重放送受信モードの切り換えをＦＭ文字多重放送選択釦のオン・オフだけで行なっており、操作性において使いづらい部分があり、また、前記釦をオンした時は必ず文字情報データの蓄積から始めるために文字情報データを表示するまでにかなりの時間を要する（例えば、文字情報以外のデータも多重化されている場合には文字情報データの受信開始から表示開始まで数分を要することがある）という問題があった。
【０００３】
【発明が解決しようとする課題】
本発明の目的は、上記従来の問題を解決し、文字情報データの蓄積の有無をユーザーが選択できる新規な構成の文字多重放送受信機を提供することにある。
【０００４】
【課題を解決するための手段】
本発明に係る文字多重放送受信機は、文字情報を受信する文字多重放送受信機において、文字多重放送受信モードを選択する選択手段と、文字多重放送に含まれる文字情報データを蓄積する蓄積手段と、前記文字情報データを表示する表示手段と、前記選択手段が文字多重放送受信モードを選択していないときに、前記表示手段による前記文字情報データの表示が停止されかつ前記蓄積手段で前記文字情報が蓄積されるように制御する制御手段とを備えたものである。
【０００５】
また、本発明に係る文字多重放送受信機は、上述した発明の構成に加えて、前記蓄積手段による前記文字情報データの蓄積動作を停止させる停止手段とを備えるものである。
【０００６】
また、本発明に係る文字多重放送受信機は、上述した各発明の構成に加えて、自動昇降式アンテナと、前記停止手段による前記蓄積手段の前記文字情報データの蓄積動作の停止時に、前記自動昇降式アンテナを降下させるように制御する第二の制御手段とを備えるものである。
【０００７】
また、本発明に係る文字多重放送受信機は、上述した各発明の構成に加えて、停止手段と選択手段の指示を同一の操作キーにより行なうように構成したものである。
【０００９】
【作用】
文字多重放送受信可能な受信機において、文字多重放送受信モード以外のモード時にも蓄積手段に文字情報データを蓄積しておく。したがって、文字多重放送受信モードの選択時に、即座に文字情報データを表示することができる。
【００１０】
【発明の実施の形態】
図１は、本発明に係る文字多重放送受信機の一実施例であるＤＡＲＣ（ＤＡｔａ  Ｒａｄｉｏ  Ｃｈａｎｎｅｌ）を受信可能なＦＭ文字多重放送受信機のブロック図を示す。
図１において、１はワンチップマイクロコンピュータ（以下マイコンという）であり、ＣＰＵ、ＲＯＭ、ＲＡＭ、入出力ポート及びシステムクロックにより構成されている。マイコン１の通信ラインには、ＦＭアンテナ及びＦＭ受信・検波回路（図示しない）で受信したＦＭコンポジット信号がバンドパスフィルタ５を介して入力されて文字情報データを復調するためのエアデータ復調用ＬＳＩ  ２が接続され、また、エアデータ復調用ＬＳＩ  ２から受信した文字情報データを蓄積する外部メモリ（例えばスタティックＲＡＭ）３が接続され、出力ポートには文字情報データを表示する表示器４が接続されている。さらに、マイコン１には、ＦＭ文字多重放送受信モード切換用の操作キー等を含むキー入力回路６が接続されている。
【００１１】
上記構成における動作を図２に示すフローチャートを用いて説明する。
まず、ユーザーが、キー入力回路６のＦＭ文字多重放送受信モード切換用の操作キー（この操作キーは例えばノンロック式プッシュスイッチが用いられ、以下文字多重キーという）を押すと、ステップＳ１で、マイコン１により文字多重キーがオンされたか否かが判定され、その答がノーならばステップＳ１に戻り、イエスならばステップＳ２に進み、ＦＭ文字多重放送の受信を開始する。次いで、受信機は、エアデータ復調用ＬＳＩ  ２で受信、復調された文字情報データを外部メモリ３に蓄積し始め（Ｓ３）、続いて、その文字情報データが順次外部メモリ３から読み出されて表示器４に供給され、表示器４において表示が開始する（Ｓ４）。
【００１２】
次に、ユーザーが再度文字多重キーを押すと、ステップＳ５で、マイコン１により文字多重キーがオンされたか否かが判定され、その答がノーならばステップＳ５に戻り、イエスならばステップＳ６に進む。ステップＳ６では、表示器４への文字情報データの供給が停止され、その表示が終了される。この時、マイコン１は、文字情報データが表示器４には表示されないが外部メモリ３への蓄積動作は引き続き行われるように制御する。
【００１３】
さらに、ユーザーが文字多重キーを押すと、ステップＳ７で、マイコン１により文字多重キーがオンされたか否かが判定され、その答がイエスならばステップＳ８に進み、文字多重キーのオンされた時間が予め決められた時間、例えば１秒間、以上か否かを判定し、その答がイエスならば、ステップＳ９に進み、外部メモリ３への文字情報データの蓄積が停止され、次いでステップＳ１０で、ＦＭ文字多重放送受信モードが終了される。一方、ステップＳ８の答がノーならば（すなわち、文字多重キーがオンされている時間が１秒に満たなければ）、マイコン１の制御はステップＳ４に戻り、再び表示器４による文字情報データの表示が開始される。
【００１４】
このように、マイコン１は、１回目の文字多重キーのオンを検出すると、ＦＭ文字多重放送受信を開始して文字情報データを蓄積、表示を行ない、２回目の文字多重キーのオンを検出すると、文字多重放送受信モード以外のモード（例えば、通常のＦＭ放送受信モード）とすることができ、文字情報データの表示が停止されるが蓄積は継続され、３回目の文字多重キーのオンを検出すると、そのオン持続時間に基づいて、オン持続時間が予め決められた時間に満たなければ文字情報データの表示を再開し、予め決められた時間以上ならば文字情報データの蓄積を停止して、ＦＭ文字多重放送受信動作を終了するように受信機を制御するのである。
【００１５】
したがって、ユーザーは文字多重キーの操作を適宜行なって、ＦＭ文字多重放送受信モードのオン・オフ、文字情報データの蓄積のオン・オフ、文字情報データの表示のオン・オフを選択することができる。
例えば、ユーザーがＦＭ文字多重放送以外のソースを選択している時において、ＦＭ文字多重放送の文字情報データの蓄積を予め行なうことにより、ユーザーがＦＭ文字多重放送受信モードに切り換えると直ちに文字情報データの表示開始可能となる。
【００１６】
なお、ＦＭアンテナを自動昇降式とし、上述のフローチャートのステップＳ１０に続いて、マイコン１によりＦＭアンテナを降下させるように制御することもできる。この場合、ユーザーは、車載されかつＦＭ文字多重放送受信可能なＦＭ放送受信装置に通電したまま（例えば、他のソース（コンパクトディスク等）を聞きながら）、ガードなどのＦＭアンテナを下げなければ通行できない場所を通過する際、文字多重キーの操作により受信装置に通電したまま（ＣＤを聞きながら）アンテナを下げることができる。
そして、文字多重放送受信モードに切り換えるべく文字多重キーが押されると、それに伴って、マイコン１はＦＭアンテナを上昇させるように制御するように構成することができる。
【００１７】
【発明の効果】
本発明に係る文字多重放送受信機によれば、文字情報データを予め蓄積することができ、文字多重放送受信開始と同時に文字情報データを表示することができる。
【図面の簡単な説明】
【図１】本発明に係る文字多重放送受信機の一実施例であるＤＡＲＣ（ＤＡｔａ  Ｒａｄｉｏ  Ｃｈａｎｎｅｌ）を受信可能なＦＭ文字多重放送受信機のブロック図を示す。
【図２】図１のブロック図の動作を説明するフローチャートである。
【符号の説明】
１  マイクロコンピュータ
２  エアデータ復調ＬＳＩ
３  外部メモリ
４  表示器
５  バンドパスフィルタ
６  キー入力回路
【図１】
0003571464.tif 000002
【図２】
0003571464.tif 000003